(57)【特許請求の範囲】
【請求項１】
入力映像信号を構成する信号がＲＧＢ信号であるかＹ／色差信号であるか判別する映像信号判別装置であって、
前記入力映像信号のペデスタルレベルが所定の信号レベルとなるように、前記入力映像信号をクランプして出力するクランプ回路と、
前記クランプ回路から出力された映像信号を入力するＡＤ変換回路と、
前記ＡＤ変換回路からの出力映像信号のレベルに基づいて所定の映像信号情報を取得する映像信号情報取得部と、
取得した前記所定の映像信号情報に基づいて、前記入力映像信号を構成する信号がＲＧＢ信号である確率を示すＲＧＢ確率と、Ｙ／色差信号である確率を示す色差確率とを取得し、取得した前記ＲＧＢ確率と前記色差確率とを比較することにより前記入力映像信号を構成する信号がＲＧＢ信号であるかＹ／色差信号であるかを、前記ＲＧＢ確率の方が高ければ前記入力映像信号を構成する信号がＲＧＢ信号であり、前記色差確率の方が高ければ前記入力映像信号を構成する信号がＹ／色差信号であると判別する映像信号判別部と、
を備え、
前記所定の信号レベルは前記ＡＤ変換回路のダイナミックレンジの所定の信号レベルであり、前記映像信号判別部からの指示により変更が可能であることを特徴とする映像信号判別装置。
【請求項２】
請求項１記載の映像信号判別装置であって、
前記映像信号判別部は、
前記入力映像信号を構成する信号がＲＧＢ信号であると仮定して、前記クランプ回路において前記所定のレベルを前記ＡＤ変換回路のダイナミックレンジのほぼ最低レベルに設定し、前記映像信号情報取得部において前記ＡＤ変換回路から出力されるＲ信号とＢ信号のうち最も大きな値であるＲＢ最大値を前記所定の映像信号情報として取得して、前記ＲＢ最大値の大きさの度合いに対応するＲＧＢ確率を取得し、
前記入力映像信号を構成する信号がＹ／色差信号であると仮定して、前記クランプ回路において色差信号に対する前記所定のレベルを前記ＡＤ変換回路のダイナミックレンジのほぼ中心レベルに設定し、前記映像信号情報取得部において前記ＡＤ変換回路から出力される色差信号の最も小さな値である色差最小値を前記所定の映像信号情報として取得して、前記色差最小値の小ささの度合いに対応する色差確率を取得する、
ことを特徴とする映像信号判別装置。
【請求項３】
請求項１記載の映像信号判別装置であって、
前記映像信号判別部は、
前記入力映像信号を構成する信号がＲＧＢ信号であると仮定して、前記クランプ回路において前記所定のレベルを前記ＡＤ変換回路のダイナミックレンジのほぼ最低レベルに設定し、前記映像信号情報取得部において前記ＡＤ変換回路から出力されるＲ信号とＢ信号のうち最も大きな値であるＲＢ最大値を前記所定の映像信号情報として取得して、前記ＲＢ最大値の大きさの度合いに対応するＲＧＢ確率を取得し、
前記入力映像信号を構成する信号がＹ／色差信号であると仮定して、前記クランプ回路において色差信号に対する前記所定のレベルを前記ＡＤ変換回路のダイナミックレンジのほぼ中心レベルに設定し、前記映像信号情報取得部において前記ＡＤ変換回路から出力される色差信号の最も小さな値である色差最小値を前記所定の映像信号情報として取得して、前記色差最小値の小ささの度合いに対応する第１の色差確率を取得し、
さらに、前記映像信号判別部は、
前記映像信号情報取得部において、前記ＲＢ最大値を取得するとともに、Ｇ信号の最大値であるＧ最大値を前記所定の映像信号情報として取得して、前記ＲＢ最大値に対するＧ最大値の大きさの度合いに対応する第２の色差確率を取得し、
取得した前記第１の色差確率と前記第２の色差確率との加算値を前記ＲＧＢ確率と比較する前記色差確率とする、
ことを特徴とする映像信号判別装置。
【請求項４】
請求項１記載の映像信号判別装置であって、
前記映像信号判別部は、
前記入力映像信号を構成する信号がＲＧＢ信号であると仮定して、前記クランプ回路において前記所定のレベルを前記ＡＤ変換回路のダイナミックレンジのほぼ最低レベルに設定し、前記映像信号情報取得部において前記ＡＤ変換回路から出力されるＲ信号とＢ信号のうち最も大きな値であるＲＢ最大値を前記所定の映像信号情報として取得して、前記ＲＢ最大値の大きさの度合いに対応するＲＧＢ確率を取得し、
前記入力映像信号を構成する信号がＹ／色差信号であると仮定して、前記クランプ回路において色差信号に対する前記所定のレベルを前記ＡＤ変換回路のダイナミックレンジのほぼ中心レベルに設定し、前記映像信号情報取得部において前記ＡＤ変換回路から出力される色差信号の最も小さな値である色差最小値を前記所定の映像信号情報として取得して、前記色差最小値の小ささの度合いに対応する第１の色差確率を取得し、
さらに、前記映像信号判別部は、
前記映像信号情報取得部において、前記色差最小値を取得するとともに、Ｙ信号に対する前記所定のレベルを前記ＡＤ変換回路のダイナミックレンジのほぼ最低レベルに設定して、前記Ｙ信号の最も小さな信号の値であるＹ最小値を前記所定の映像信号情報として取得して、前記色差最小値に対するＹ最小値の小ささの度合いに対応する第２の色差確率情報を取得し、
取得した前記第２の色差確率と前記第１の色差確率との加算値を、前記ＲＧＢ確率と比較する前記色差確率とする、
ことを特徴とする映像信号判別装置。
【請求項５】
入力映像信号の種類に対応した映像信号処理を行う映像信号処理装置であって、
請求項１ないし請求項４のいずれかに記載の映像信号判別装置と、
前記映像信号判別部の判別結果に対応する動作条件で前記映像信号処理を行うように制御する処理制御部と、
を備えることを特徴とする映像信号処理装置。
【請求項６】
入力映像信号の種類に対応した映像信号処理を行って、前記入力映像信号の表す映像を表示する映像表示装置であって、
請求項５記載の映像信号処理装置と、
前記映像信号処理装置から出力される映像信号の表す映像を表示するための表示部と、
を備えることを特徴とする映像表示装置。
【請求項７】
入力映像信号を構成する信号がＲＧＢ信号であるかＹ／色差信号であるか判別する映像信号判別方法であって、
前記入力映像信号のペデスタルレベルが所定の信号レベルとなるようにクランプ回路によってクランプされ、ＡＤ変換回路によってＡＤ変換された映像信号のレベルに基づいて、映像信号判別部によって所定の映像信号情報を取得し、
前記映像信号判別部は、取得した前記所定の映像信号情報に基づいて、前記入力映像信号を構成する信号がＲＧＢ信号である確率を示すＲＧＢ確率と、Ｙ／色差信号である確率を示す色差確率とを取得し、取得した前記ＲＧＢ確率と前記色差確率とを比較することにより前記入力映像信号を構成する信号がＲＧＢ信号であるかＹ／色差信号であるかを、前記ＲＧＢ確率の方が高ければ前記入力映像信号を構成する信号がＲＧＢ信号であり、前記色差確率の方が高ければ前記入力映像信号を構成する信号がＹ／色差信号であると判別し、
前記所定の信号レベルは前記ＡＤ変換回路のダイナミックレンジの所定の信号レベルであり、前記映像信号判別部からの指示により変更が可能であることを特徴とする映像信号判別方法。
【請求項８】
請求項７記載の映像信号判別方法あって、
前記入力映像信号を構成する信号がＲＧＢ信号であると仮定して、前記所定のレベルを前記ＡＤ変換のダイナミックレンジのほぼ最低レベルに設定し、前記ＡＤ変換して得られる前記映像信号中のＲ信号とＢ信号のうち最も大きな値であるＲＢ最大値を前記所定の映像信号情報として取得して、前記ＲＢ最大値の大きさの度合いに対応するＲＧＢ確率を取得し、
前記入力映像信号を構成する信号がＹ／色差信号であると仮定して、色差信号に対する前記所定のレベルを前記ＡＤ変換のダイナミックレンジのほぼ中心レベルに設定し、前記ＡＤ変換して得られる前記映像信号中の色差信号の最も小さな値である色差最小値を前記所定の映像信号情報として取得して、前記色差最小値の小ささの度合いに対応する色差確率を取得する、
ことを特徴とする映像信号判別方法。
【請求項９】
請求項７記載の映像信号処判別方法であって、
前記入力映像信号を構成する信号がＲＧＢ信号であると仮定して、前記所定のレベルを前記ＡＤ変換のダイナミックレンジのほぼ最低レベルに設定し、前記ＡＤ変換された映像信号中のＲ信号とＢ信号のうち最も大きな値であるＲＢ最大値を前記所定の映像信号情報として取得して、前記ＲＢ最大値の大きさの度合いに対応するＲＧＢ確率を取得し、
前記入力映像信号を構成する信号がＹ／色差信号であると仮定して、色差信号に対する前記所定のレベルを前記ＡＤ変換のダイナミックレンジのほぼ中心レベルに設定し、前記ＡＤ変換された映像信号中の色差信号の最も小さな値である色差最小値を前記所定の映像信号情報として取得して、前記色差最小値の小ささの度合いに対応する第１の色差確率を取得し、
さらに、
前記ＲＢ最大値を取得するとともに、Ｇ信号の最大値であるＧ最大値を前記所定の映像信号情報として取得して、前記ＲＢ最大値に対するＧ最大値の大きさの度合いに対応する第２の色差確率を取得し、
取得した前記第１の色差確率と前記第２の色差確率との加算値を前記ＲＧＢ確率と比較する前記色差確率とする、
ことを特徴とする映像信号判別方法。
【請求項１０】
請求項７記載の映像信号判別方法あって、
前記入力映像信号を構成する信号がＲＧＢ信号であると仮定して、前記所定のレベルを前記ＡＤ変換のダイナミックレンジのほぼ最低レベルに設定し、前記ＡＤ変換された映像信号中のＲ信号とＢ信号のうち最も大きな値であるＲＢ最大値を前記所定の映像信号情報として取得して、前記ＲＢ最大値の大きさの度合いに対応するＲＧＢ確率を取得し、
前記入力映像信号を構成する信号がＹ／色差信号であると仮定して、色差信号に対する前記所定のレベルを前記ＡＤ変換のダイナミックレンジのほぼ中心レベルに設定し、前記ＡＤ変換された映像信号中の色差信号の最も小さな値である色差最小値を前記所定の映像信号情報として取得して、前記色差最小値の小ささの度合いに対応する第１の色差確率を取得し、
さらに、
前記色差最小値を取得するとともに、Ｙ信号に対する前記所定のレベルを前記ＡＤ変換のダイナミックレンジのほぼ最低レベルに設定して、前記Ｙ信号の最も小さな信号の値であるＹ最小値を前記所定の映像信号情報として取得して、前記色差最小値に対するＹ最小値の小ささの度合いに対応する第２の色差確率情報を取得し、
取得した前記第２の色差確率と前記第１の色差確率との加算値を、前記ＲＧＢ確率と比較する前記色差確率とする、
ことを特徴とする映像信号判別方法。
【発明の詳細な説明】
【技術分野】
【０００１】
本発明は、入力される映像信号が、ＲＧＢ信号であるかＹ／色差信号であるかを判別する技術に関する。
【背景技術】
【０００２】
液晶ディスプレイ（ＬＣＤ）やプラズマディスプレイ（ＰＤＰ）等の直視型の映像表示装置(「画像表示装置」とも呼ばれる。)、あるいは、液晶ディスプレイ（ＬＣＤ）パネル（単に「液晶パネル」とも呼ぶ。）やディジタルマイクロミラーデバイス（「ＤＭＤ」と呼ばれる。ＴＩ社の商標。）等を用いた投写型の映像表示装置(プロジェクタ)では、種々の映像信号方式で表現された画像を表示可能とすることが一般的になっている。
【０００３】
映像信号の種類としては、例えば、映像ソースに応じた種類として、コンピュータから出力される信号（以下、「コンピュータ系信号」と呼ぶ。）や、現行のテレビジョンやハイビジョンで利用される信号（以下、「ビデオ系信号」と呼ぶ。）がある。また、映像信号を構成する信号の種類として、Ｒ（赤），Ｇ（緑），Ｂ（青）の３原色の色信号からなるＲＧＢ信号、Ｙ（輝度）信号とＣｒ（Ｒ−Ｙ），Ｃｂ（Ｂ−Ｙ）の２つの色差信号とからなるＹ／色差信号（以下、端に「色差信号」と略す場合もある。）等がある。さらに、映像信号によって表現される画像の解像度も、複数の種類が存在している。例えば、コンピュータ系信号には、ＶＧＡ，ＳＶＧＡ，ＸＧＡ，ＳＸＧＡ等の種類がある。ビデオ系信号には、５２５ｉ，５２５ｐ，６２５ｉ，７５０ｐ，１１２５ｉ等の種類がある。
【０００４】
従って、１つの映像表示装置で、種々の映像信号で表現された画像を表示可能とするためには、入力映像信号の種類に応じて内部の処理の条件設定を調整することが要求される。このため、このような映像表示装置では、入力映像信号の種類を自動的に判別する機能を備えて、入力映像信号の種類を判別することが行われている。
【０００５】
映像信号の判別手法としては、映像信号のタイミングを表す同期信号の水平周波数や垂直周波数、水平同期信号の数を表す垂直ライン数等の、映像信号の種類の違いによって異なった値を有する同期信号の情報（以下、「同期信号情報」とも呼ぶ。）を検出し、検出した同期信号情報に基づいて対応する映像信号の種類を判別する手法（以下、「同期信号判別手法」とも呼ぶ。）が利用されている。このような同期信号判別手法の例は、特許文献１および特許文献２に開示されている。
【０００６】
しかしながら、上記同期信号判別手法では、判別が困難な映像信号の種類も存在する。例えば、コンピュータ系信号に含まれるＶＧＡモードの映像信号と、ビデオ系信号に含まれる５２５ｐモードの映像信号は、垂直ライン数が同じで、水平同期信号の周波数（水平周波数）、垂直同期信号の周波数(垂直周波数)および垂直ライン数もほぼ同じであるため、水平周波数や垂直周波数の測定精度を考慮すると、判別が困難な場合もある。
【０００７】
そこで、ＶＧＡモードの映像信号と５２５ｐモードの映像信号との判別手法としては、ＶＧＡモードの映像信号がＲＧＢ信号で、５２５ｐモードの映像信号がＹ／色差信号であるという違いを利用して、映像信号がＹ／色差信号であるかＲＧＢ信号であるかを判別する手法(以下。「ＲＧＢ／色差信号判別手法」とも呼ぶ。)が考えられている。このようなＲＧＢ／色差信号判別手法は、特許文献３および特許文献４に開示されている。
【０００８】
このＲＧＢ／色差信号判別手法は、映像信号をペデスタルレベルでクランプした場合、Ｙ／色差信号ではクランプレベルよりも低いレベルの映像信号が存在するが、ＲＧＢ信号ではクランプレベルよりも低い信号レベルは存在しないことを利用している。すなわち、このＲＧＢ／色差信号判別手法は、クランプレベルよりも少し低い設定値と映像信号とを比較して、設定値よりも低いレベルの信号が存在すればＹ／色差信号であると判別するものである。
【０００９】
【特許文献１】特開平７−８７４５７号公報
【特許文献２】特開平１０−３１２１８２号公報
【特許文献３】特開平１１−１５５１４９号公報
【特許文献４】特開２００２−３２０２４３号公報
【発明の開示】
【発明が解決しようとする課題】
【００１０】
しかしながら、上記ＲＧＢ／色差信号判別手法では、映像信号に重畳されているノイズ等により誤判別されてしまう可能性がある。特に、映像信号のレベルが低い場合、誤判別の可能性が高い。
【００１１】
この発明は、従来技術における上述の課題を解決するためになされたものであり、映像信号を構成する信号がＲＧＢ信号であるかＹ／色差信号であるかの判別の確度を、従来よりも向上させることが可能な技術を提供することを目的とする。
【課題を解決するための手段】
【００１２】
上記目的を達成するために、本発明の映像信号判別装置は、
入力映像信号を構成する信号がＲＧＢ信号であるかＹ／色差信号であるか判別する映像信号判別装置であって、
前記入力映像信号のペデスタルレベルが所定の信号レベルとなるように、前記入力映像信号をクランプして出力するクランプ回路と、
前記クランプ回路から出力された映像信号を入力するＡＤ変換回路と、
前記ＡＤ変換回路からの出力映像信号のレベルに基づいて所定の映像信号情報を取得する映像信号情報取得部と、
取得した前記所定の映像信号情報に基づいて、前記入力映像信号を構成する信号がＲＧＢ信号である確率を示すＲＧＢ確率と、Ｙ／色差信号である確率を示す色差確率とを取得し、取得した前記ＲＧＢ確率と前記色差確率とを比較することにより前記入力映像信号を構成する信号がＲＧＢ信号であるかＹ／色差信号であるかを、前記ＲＧＢ確率の方が高ければ前記入力映像信号を構成する信号がＲＧＢ信号であり、前記色差確率の方が高ければ前記入力映像信号を構成する信号がＹ／色差信号であると判別する映像信号判別部と、
を備え、
前記所定の信号レベルは前記ＡＤ変換回路のダイナミックレンジの所定の信号レベルであり、前記映像信号判別部からの指示により変更が可能であることを特徴とする。
【００１３】
本発明の映像信号判別装置によれば、ＲＧＢ確率と色差確率とを比較することにより、映像信号を構成する信号がＲＧＢ信号であるかＹ／色差信号であるかを判別することにより、従来技術で説明したＲＧＢ／色差信号判別に比べて、誤判別の可能性を低減して判別の確度を向上させることが可能である。
【００１４】
ここで、前記映像信号判別部は、
前記入力映像信号を構成する信号がＲＧＢ信号であると仮定して、前記クランプ回路において前記所定のレベルを前記ＡＤ変換回路のダイナミックレンジのほぼ最低レベルに設定し、前記映像信号情報取得部において前記ＡＤ変換回路から出力されるＲ信号とＢ信号のうち最も大きな値であるＲＢ最大値を前記所定の映像信号情報として取得して、前記ＲＢ最大値の大きさの度合いに対応するＲＧＢ確率を取得し、
前記入力映像信号を構成する信号がＹ／色差信号であると仮定して、前記クランプ回路において色差信号に対する前記所定のレベルを前記ＡＤ変換回路のダイナミックレンジのほぼ中心レベルに設定し、前記映像信号情報取得部において前記ＡＤ変換回路から出力される色差信号の最も小さな値である色差最小値を前記所定の映像信号情報として取得して、前記色差最小値の小ささの度合いに対応する色差確率を取得することが好ましい。
【００１５】
こうすれば、ＲＧＢ確率と色差確率とを容易に取得することが可能である。
【００１６】
また、前記映像信号判別部は、
前記入力映像信号を構成する信号がＲＧＢ信号であると仮定して、前記クランプ回路において前記所定のレベルを前記ＡＤ変換回路のダイナミックレンジのほぼ最低レベルに設定し、前記映像信号情報取得部において前記ＡＤ変換回路から出力されるＲ信号とＢ信号のうち最も大きな値であるＲＢ最大値を前記所定の映像信号情報として取得して、前記ＲＢ最大値の大きさの度合いに対応するＲＧＢ確率を取得し、
前記入力映像信号を構成する信号がＹ／色差信号であると仮定して、前記クランプ回路において色差信号に対する前記所定のレベルを前記ＡＤ変換回路のダイナミックレンジのほぼ中心レベルに設定し、前記映像信号情報取得部において前記ＡＤ変換回路から出力される色差信号の最も小さな値である色差最小値を前記所定の映像信号情報として取得して、前記色差最小値の小ささの度合いに対応する第１の色差確率を取得し、
さらに、前記映像信号判別部は、
前記映像信号情報取得部において、前記ＲＢ最大値を取得するとともに、Ｇ信号の最大値であるＧ最大値を前記所定の映像信号情報として取得して、前記ＲＢ最大値に対するＧ最大値の大きさの度合いに対応する第２の色差確率を取得し、
取得した前記第１の色差確率と前記第２の色差確率との加算値を前記ＲＧＢ確率と比較する前記色差確率とすることも好ましい。
【００１７】
あるいは、前記映像信号判別部は、
前記入力映像信号を構成する信号がＲＧＢ信号であると仮定して、前記クランプ回路において前記所定のレベルを前記ＡＤ変換回路のダイナミックレンジのほぼ最低レベルに設定し、前記映像信号情報取得部において前記ＡＤ変換回路から出力されるＲ信号とＢ信号のうち最も大きな値であるＲＢ最大値を前記所定の映像信号情報として取得して、前記ＲＢ最大値の大きさの度合いに対応するＲＧＢ確率を取得し、
前記入力映像信号を構成する信号がＹ／色差信号であると仮定して、前記クランプ回路において色差信号に対する前記所定のレベルを前記ＡＤ変換回路のダイナミックレンジのほぼ中心レベルに設定し、前記映像信号情報取得部において前記ＡＤ変換回路から出力される色差信号の最も小さな値である色差最小値を前記所定の映像信号情報として取得して、前記色差最小値の小ささの度合いに対応する第１の色差確率を取得し、
さらに、前記映像信号判別部は、
前記映像信号情報取得部において、前記色差最小値を取得するとともに、Ｙ信号に対する前記所定のレベルを前記ＡＤ変換回路のダイナミックレンジのほぼ最低レベルに設定して、前記Ｙ信号の最も小さな信号の値であるＹ最小値を前記所定の映像信号情報として取得して、前記色差最小値に対するＹ最小値の小ささの度合いに対応する第２の色差確率情報を取得し、
取得した前記第２の色差確率と前記第１の色差確率との加算値を、前記ＲＧＢ確率と比較する前記色差確率とするようにしてもよい。
【００１８】
上記どちらかの構成とすれば、色差確率の確度をさらに向上させることができるので、誤判別の可能性をさらに低減して判別の確度を向上させることが可能である。
【００１９】
なお、本発明は、以下に示すような種々の態様で実現することが可能である。
（１）映像信号判別装置、映像信号判別方法。
（２）上記装置を備える映像信号処理装置、映像表示装置。
（３）上記の装置や方法を実現するためのコンピュータプログラム。
（４）上記の装置や方法を実現するためのコンピュータプログラムを記録した記録媒体。
【００２０】
本発明をコンピュータプログラムまたはそのプログラムを記録した記録媒体等として構成する場合には、上記装置の動作を制御するプログラム全体として構成するものとしてもよいし、本発明の機能を果たす部分のみを構成するものとしてもよい。また、記録媒体としては、フレキシブルディスクやＣＤ−ＲＯＭ、ＤＶＤ−ＲＯＭ／ＲＡＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置などコンピュータが読み取り可能な種々の媒体を利用できる。
【発明を実施するための最良の形態】
【００２１】
以下では、本発明の実施の形態を実施例に基づいて以下の手順で説明する。
Ａ．第１実施例：
Ａ．１．映像表示装置の全体構成：
Ａ．２．映像信号判別処理：
Ａ．２．１．同期信号情報を利用した映像信号の判別：
Ａ．２．２．判別終了判断：
Ａ．２．３．ＲＧＢ／色差信号判別結果を利用した映像信号の判別：
Ａ．３．ＲＧＢ／色差信号判別：
Ａ．３．１．ＲＧＢ確率の取得：
Ａ．３．２．色差確率の取得：
Ａ．３．３．ＲＧＢ確率と色差確率との比較によるＲＧＢ／色差信号判別：
Ｂ．第２実施例のＲＧＢ／色差判別：
Ｂ．１．色差確率Ｂの取得：
Ｂ．２．ＲＧＢ確率と色差確率（Ａ＋Ｂ）との比較によるＲＧＢ／色差信号判別：
Ｃ．変形例：
【００２２】
Ａ．第１実施例：
Ａ．１．映像表示装置の全体構成：
図１は、本発明を適用した映像表示装置の第１実施例としてのプロジェクタの要部を示すブロック図である。このプロジェクタ１０００は、インタフェース部１００と、映像信号処理部２００と、表示部３００と、コントローラ４００と、を備えている。インタフェース部１００は、入力信号Ｓ１に含まれる映像信号ＶＳ１を映像信号処理部２００に入力可能な信号ＶＳ３に変換し、変換した映像信号ＶＳ３を含む信号Ｓ３を出力する。映像信号処理部２００は、映像信号ＶＳ３の表す画像に種々の処理を行うとともに、映像信号ＶＳ３を表示部３００に入力可能な映像信号ＶＳ４に変換し、変換した映像信号ＶＳ４を含む信号Ｓ４を出力する。表示部３００は、入力信号Ｓ４に応じた画像を表示する。コントローラ４００は、制御線を介して各ブロックに接続されており、各ブロックの動作を制御する。
【００２３】
入力信号Ｓ１としては、ＲＧＢ信号またはＹ／色差信号を含む信号が入力可能である。すなわち、入力信号Ｓ１に含まれる映像信号ＶＳ１は、Ｒ信号、Ｇ信号、Ｂ信号の３つの信号からなるコンポーネント映像信号の場合と、Ｙ信号、Ｃｒ信号、Ｃｂ信号の３つの信号からコンポーネント信号の場合とがあり、ＲＧＢ信号かＹ／色差信号のいずれかの映像信号がインタフェース部１００に入力される。なお、インタフェース部１００に入力される映像信号の信号線は、通常、Ｒ信号とＣｒ信号、Ｇ信号とＹ信号、Ｂ信号とＣｂ信号が、それぞれ同一とされる。入力信号Ｓ１の同期信号としては、水平同期信号がＧ信号やＹ信号に重畳されている場合と、独立した信号ＨＤ１として入力信号Ｓ１に含まれている場合とがある。また、垂直同期信号も、Ｇ信号やＹ信号に重畳されている場合と、独立した信号ＶＤ１として入力信号Ｓ１に含まれている場合とがある。また、垂直同期信号は、水平同期信号に重畳されている場合もある。
【００２４】
なお、以下では、信号Ｓ１に含まれる映像信号ＶＳ１を構成するＲ信号，Ｇ信号，Ｂ信号をＶＳ１−Ｒ，ＶＳ１−Ｇ，ＶＳ１−Ｂ、Ｙ信号，Ｃｒ信号，Ｃｂ信号をＶＳ１−Ｙ，ＶＳ１−Ｃｒ，Ｖｓ１−Ｃｂのように記載する。ただし、Ｒ信号とＣｒ信号、Ｇ信号とＹ信号、Ｂ信号とＣｂ信号を特に区別しない場合には、映像信号ＶＳ１の３つの信号をＶＳ１−Ｒ／Ｃｒ、ＶＳ１−Ｇ／Ｙ、ＶＳ１−Ｂ／Ｃｂのように記載する場合もある。また、信号Ｓ１の映像信号と同期信号とを特に区別しない場合には、映像信号Ｓ１と呼ぶ場合もある。また、他の信号Ｓ２〜Ｓ５についても上記信号Ｓ１と同様に記載することとする。
【００２５】
インタフェース部１００は、クランプ回路１１０と、ＡＤ変換（ＡＤＣ）回路１２０と、同期分離回路１３０と、クランプパルス回路１４０と、ＰＬＬ回路１５０とを備えている。
【００２６】
同期分離回路１３０は、入力信号Ｓ１として水平同期信号ＨＤ１や垂直同期信号ＶＤ１が独立して含まれているか否か、映像信号ＶＳ１−Ｇ／Ｙに水平同期信号や垂直同期信号が重畳されているか否かを検出する。また、映像信号ＶＳ１−Ｇ／Ｙに同期信号が重畳されている場合には、重畳されている同期信号を分離して水平同期信号ＨＤ３および垂直同期信号ＶＤ３として出力する。検出された結果は、制御線を介してコントローラ４００に供給可能である。また、入力信号Ｓ１に水平同期信号ＨＤ１や垂直同期信号ＶＤ１が独立して含まれている場合には、これらの同期信号をそのまま水平同期信号ＨＤ３や垂直同期信号ＶＤ３として出力する。
【００２７】
クランプ回路１１０は、３つの映像信号ＶＳ１―Ｒ／Ｃｒ，ＶＳ１−Ｇ／Ｙ，ＶＳ１−Ｂ／Ｃｂを、クランプパルス信号ＣＬＰに基づいてペデスタルレベル（いわゆる黒レベル）でクランプし、ＡＤＣ回路１２０に供給する。なお、映像信号がＲＧＢ信号の場合には、クランプされた直流レベルがＡＤＣ回路１２０の入力ダイナミックレンジの最低レベル（ＬＬ）となるようにオフセット調整される。また、映像信号がＹ／色差信号の場合には、Ｃｒ信号およびＣｂ信号については、クランプされた直流レベルがＡＤＣ回路１２０の入力ダイナミックレンジの中心レベル（ＬＣ）となるようにオフセット調整され、Ｙ信号についてはＲＧＢ信号と同様にオフセット調整される。オフセット調整の切り替えは、コントローラ４００から供給されるクランプ制御情報によって制御される。
【００２８】
クランプパルス回路１４０は、クランプ回路１１０の動作タイミングを示すクランプパルス信号ＣＬＰを、同期分離回路１３０から出力される水平同期信号ＨＤ３に基づいて生成する。
【００２９】
ＰＬＬ回路１５０は、同期分離回路１３０から出力される水平同期信号ＨＤ３に基づいて、ＡＤＣ回路１２０の動作のタイミングを示すサンプリングクロック信号ＳＣＫを生成する。生成されるサンプリングクロック信号ＳＣＫの周波数は、コントローラ４００から供給されるクロック制御情報によって制御される。
【００３０】
ＡＤＣ回路１２０は、クランプ回路１１０から入力される３つの映像信号ＶＳ２−Ｒ／Ｃｒ，ＶＳ２−Ｇ／Ｙ，ＶＳ２−Ｂ／Ｃｂを、サンプリングクロック信号ＳＣＫに基づいてサンプリングして量子化し、３つのデジタル化された映像信号ＶＳ３−Ｒ／Ｃｒ，ＶＳ３−Ｇ／Ｙ，ＶＳ３−Ｂ／Ｃｂとして出力する。なお、本例では、ＡＤＣ回路１２０として８ビットのＡＤ変換回路を用いていることとする。
【００３１】
こうして、インタフェース部１００から出力されたディジタル映像信号ＶＳ３−Ｒ／Ｃｒ，ＶＳ３−Ｇ／Ｙ，ＶＳ３−Ｂ／Ｃｂと、サンプリングクロック信号ＳＣＫと、水平同期信号ＨＤ３と、垂直同期信号ＶＤ３とが、入力信号Ｓ３として映像信号処理部２００に入力される。
【００３２】
なお、上記クランプパルス回路１４０やＰＬＬ回路１５０は、インタフェース部１００ではなく、映像信号処理部２００に含まれる構成としてもよい。
【００３３】
映像信号処理部２００は、入力信号Ｓ３に基づいて表示部３００の入力信号Ｓ４を生成する際に、ＲＧＢ変換部２１０、画質補正部２２０、画像サイズ変換部２３０、周波数変換部２４０、および映像信号情報取得部２５０等の種々のブロックにおいて、それぞれのブロックに対応する種々の処理を実行する。
【００３４】
ＲＧＢ変換部２１０は、入力信号Ｓ３に含まれている映像信号ＶＳ３がＹ／色差信号である場合に、Ｙ／色差信号をＲＧＢ信号に変換する機能を有している。ＲＧＢ変換部２１０においてＲＧＢ変換を行うか否かの切り換えは、コントローラ４００から供給されるＲＧＢ変換制御情報によって制御される。このＲＧＢ変換制御情報は、後述する映像信号の判別結果に応じて決定される。
【００３５】
画質補正部２２０は、入力された映像信号の表す画像データに対して、ブライトネス、コントラスト、シャープネス、ノイズフィルタ等の種々の画質補正を行う機能を有している。画質補正部２２０においていずれの画質補正を行うかは、コントローラ４００から供給される画質補正情報によって制御される。
【００３６】
画像サイズ変換部２３０は、入力された映像信号の表す画像データに対して、拡大、縮小、キーストーン歪補正等の処理を行う機能を有している。画像サイズ変換部２３０において実行される画像サイズ変換は、コントローラ４００から供給される画像サイズ情報によって制御される。
【００３７】
周波数変換部２４０は、同期信号の周波数等で規定される映像信号のリフレッシュタイミングを、表示部３００に供給可能なタイミングに変換する機能を有している。周波数変換部２４０において実行されるリフレッシュタイミングの変換は、コントローラ４００から供給されるリフレッシュタイミング情報によって制御される。このリフレッシュタイミング情報は、後述する映像信号の判別結果に応じて決定される。
【００３８】
映像信号情報取得部２５０は、後述する映像信号の判別に利用する映像信号の情報や同期信号の情報を取得する。例えば、入力された映像信号の最大値の情報や最小値の情報を取得する。また、入力された同期信号の周期や周波数、ブランキング期間等の情報を取得する。取得した情報は、制御線を介してコントローラ４００に供給可能である。
【００３９】
なお、水平同期信号の周期（あるいは周波数）は、例えば、１周期の長さを、周期（あるいは周波数）が既知な計測用の基準クロックでカウントすることにより容易に計測することができる。また、垂直同期信号の周期（あるいは周波数）は、垂直同期信号の１周期に含まれる水平同期信号の数、すなわち、垂直ライン数をカウントすることにより容易に計測することができる。
【００４０】
表示部３００は、液晶パネル（ＬＣＤ）ドライバ３１０と、ライトバルブとしての液晶パネル３２０と、照明装置３３０と、投写光学系３４０と、を備えている。
【００４１】
液晶パネルドライバ３１０は、映像信号処理部２００からの入力信号Ｓ４に応じて、液晶パネル３２０を駆動するための駆動信号Ｓ５を生成する。
【００４２】
液晶パネル３２０は、照明装置３３０から射出された照明光を、液晶パネルドライバ３１０からの駆動信号Ｓ５に応じて変調することにより画像を形成するライトバルブ（光変調器）として機能する。
【００４３】
液晶パネル３２０において変調された照明光は、画像を表す光（画像光）として、投写光学系３４０によって図示しないスクリーンに向けて射出される。これにより、スクリーン上に画像が投写される。
【００４４】
なお、図示は省略しているが、液晶パネル３２０は、Ｒ，Ｇ，Ｂの３色に対応する３枚の液晶パネルを含んでいる。このため、照明装置３３０は、光源光を３色の光に分離する色光分離光学系を有しており、また、投写光学系３４０は、３色の画像光を合成してカラー画像を表す画像光を生成する合成光学系と投写レンズを有している。ただし、このようなプロジェクタの光学系の構成については、種々の一般的なプロジェクタの光学系の構成が利用可能であるので、ここでは説明を省略する。
【００４５】
コントローラ４００は、図示しないＣＰＵ、ＲＡＭ、ＲＯＭ等を備えており、インタフェース部１００、映像信号処理部２００、および表示部３００の処理動作を制御することにより、プロジェクタ１０００における画像表示を制御する。
【００４６】
ここで、コントローラ４００は、図示しないＲＯＭに格納されているソフトウェアを実行することにより、特に、映像信号判別部４１０および処理制御部４２０として機能する。映像信号判別部４１０は、映像信号情報取得部２５０によって取得された情報に基づいて、外部から入力された映像信号の種類の判別を実行する。処理制御部４２０は、判別結果に基づいて、上記インタフェース部１００のクランプ回路１１０、ＡＤＣ回路１２０およびＰＬＬ回路１５０や、映像信号処理部２００のＲＧＢ変換部２１０および周波数変換部２４０のそれぞれに適切な制御情報を設定し、それぞれの処理動作を制御する。なお、この映像信号の判別についてはさらに後述する。
【００４７】
なお、図１で示したプロジェクタの構成は、本発明を説明するための構成を主に示したものであり、一般的なプロジェクタに備えている他の種々の機能を備えることは、当然可能である。
【００４８】
Ａ．２．映像信号判別処理：
図２は、映像信号の判別処理について示すフローチャートである。プロジェクタ１０００を起動して画像の投写動作が開始可能となり、映像信号の入力が開始されると、図１の映像信号判別部４１０は、図２に示すとおり、同期信号を利用した映像信号の判別、判別終了判断、および、ＲＧＢ／色差信号判別結果を利用した映像信号の判別を順に実行する。
【００４９】
Ａ．２．１．同期信号情報を利用した映像信号の判別：
同期信号情報を利用した映像信号の判別では、まず、ステップＳ１０において、同期信号情報の取得を実行する。このとき、映像信号判別部４１０は、映像信号情報取得部２５０に対して、水平同期信号の周波数、垂直ライン数、および垂直同期信号の周波数等の同期信号情報の取得を指示する。映像信号情報取得部２５０は、同期信号情報を取得し、映像信号判別部４１０に供給する。これにより、映像信号判別部４１０は、同期信号情報を取得することができる。そして、ステップＳ２０において、取得した同期信号情報に基づいて映像信号の判別を実行する。
【００５０】
ここで、判別される映像信号の種類について説明する。図３は、映像信号の種類を示す映像信号一覧情報の一例を示す説明図である。
【００５１】
映像信号は、映像ソースに応じた信号の種類によって複数の種類に分類される。図３の例では、映像ソースに応じた信号の種類として、従来例でも説明したように、コンピュータ系信号とビデオ系信号の２種類が例示されている。
【００５２】
また、映像信号は、映像信号の表す画像の解像度によっても分類される。図３の例では、コンピュータ系信号における画像の解像度としてＶＧＡモード，ＳＶＧＡモード，ＸＧＡモード，ＳＸＧＡモードの４種類と、ビデオ系信号における画像の解像度として５２５ｉモード，５２５ｐモード，６２５ｉモード，７５０ｐモード，１１２５ｉモードの５種類とが例示されている。
【００５３】
各解像度の映像信号は、さらに、水平周波数、垂直周波数および垂直ライン数によって分類される。ただし、図３の例では、説明を容易にするため、１つの解像度に対して１組の水平周波数、垂直周波数および垂直ライン数が示されている。
【００５４】
また、各解像度の映像信号は、映像信号を構成する信号の形式、例えば、コンポーネント信号の形式であるかコンポジット信号の形式であるかによっても分類され、さらにコンポーネント信号の場合にはＲＧＢ信号の形式であるかＹ／色差信号（Ｙ／Ｃｂ／Ｃｒ信号、Ｙ／Ｐｂ・Ｐｒ信号等）の形式であるかによっても分類される。ただし、図３の例では、説明を容易にするため、コンピュータ系信号の映像信号を構成する信号はＲＧＢ信号であり、ビデオ系信号の映像信号を構成する信号はＹ／色差信号であるとしている。
【００５５】
なお、図３に示した分類は一例であり、実際の映像信号は、さらに、同期信号の極性、同期信号のパルス幅等の他の種々のパラメータによっても分類される場合がある。しかしながら、以下で説明する映像信号の判別において特に必要ではないので、ここではその説明を省略する。
【００５６】
なお、図３に示した映像信号一覧情報は、テーブルあるいはデータベースとして、コントローラ４００内の図示しない記憶領域に格納されており、映像信号の判別は、この映像信号一覧情報を参照することに実行される。
【００５７】
従って、上記ステップＳ２０において、映像信号判別部４１０は、映像信号一覧情報を参照して、取得した同期信号情報に対応する映像信号の種類を判別することができる。例えば、コンピュータ系信号におけるＳＶＧＡモード，ＸＧＡモード，およびＳＸＧＡモードと、ビデオ系信号における５２５ｉモード，６２５ｉモード，７５０ｐモード，１１２５ｉモードとは、図３に示すように、同期信号情報である水平周波数、垂直周波数、および、垂直ライン数のうち、少なくともひとつに基づいて、いずれのモードの映像信号であるかを特定することができる。これにより映像信号の種類を判別することができる。
【００５８】
Ａ．２．２．判別終了判断：
ステップＳ１０およびＳ２０による同期信号情報を利用した映像信号の判別を終了すると、ステップＳ３０では、以下で示すように、映像信号の判別処理を終了するか続行するかを判断する。
【００５９】
同期信号情報を利用した映像信号の判別において、映像信号の種類が特定されて映像信号の判別が完了している場合、ステップＳ３０では映像信号の判別処理を終了すると判断し、映像信号の判別処理を終了する。
【００６０】
一方、同期信号情報を利用した映像信号の判別において、映像信号の種類が特定されず映像信号の判別が完了していない場合、ステップＳ３０では映像信号の判別処理を終了しないと判断し、次のステップに進んで映像信号の判別処理を続行する。
【００６１】
例えば、図３に示すように、コンピュータ系信号におけるＶＧＡモードとビデオ系信号における５２５ｐモードとは、垂直ライン数が同じ５２５本であり、水平周波数も垂直周波数も非常に近い値を有しているため、以下で説明するように、上記同期信号情報を利用した映像信号の判別では、どちらのモードの映像信号であるかを特定することは困難である。
【００６２】
通常、それぞれの映像信号の種類における水平周波数および垂直周波数には、計測の精度を考慮して一定の幅が設けられている。例えば、ＶＧＡモードにおける水平周波数は、規定値３１２５０±１Ｈｚに対して約±１〜２ｋＨｚ程度の幅が設けられており、５２５ｐモードにおける水平周波数は、規定値３１４６８．５±１Ｈｚに対して約±１〜２ｋＨｚ程度の幅が設けられている。従って、互いの水平周波数の範囲に重なる領域がある。また、それぞれの垂直周波数についても同様である。このため、コンピュータ系信号におけるＶＧＡモードとビデオ系信号における５２５ｐモードとは、水平周波数、垂直周波数、および垂直ライン数のいずれのパラメータによっても、どちらのモードの映像信号であるかを特定することが困難となる場合が発生する。
【００６３】
ここで、図３に示すように、ＶＧＡモードの映像信号と、５２５ｐモードの映像信号とは、映像信号を構成する信号の種類に違いがある。具体的には、ＶＧＡモードの映像信号はＲＧＢ信号であり、５２５ｐモードの映像信号はＹ／色差信号である。
【００６４】
そこで、同期信号によって映像信号の種類が特定できず、映像信号の判別が完了していない場合には、以下で説明するように、ＲＧＢ信号であるかＹ／色差信号であるかの判別（以下、単に「ＲＧＢ／色差信号判別」とも呼ぶ。）を実行し、この判別結果に基づいて映像信号の判別を実行する。
【００６５】
Ａ．２．３．ＲＧＢ／色差信号判別結果を利用した映像信号の判別：
ＲＧＢ／色差信号判別結果を利用した映像信号の判別では、まず、ステップＳ４０において、映像信号を構成する信号はＲＧＢ信号であると仮定して、Ｒ，Ｇ，Ｂ各信号の映像信号情報を取得する。このとき、映像信号判別部４１０は、クランプ回路１１０に対してＲＧＢ信号に対応するクランプ制御情報を供給して、クランプ回路１１０をＲＧＢ信号の動作条件で動作させる。
【００６６】
次に、ステップＳ５０において、映像信号を構成する信号はＹ／色差信号（Ｙ／Ｃｂ／Ｃｒ信号）であると仮定して、Ｙ，Ｃｂ，Ｃｒ各信号の映像信号情報を取得する。このとき、映像信号判別部４１０は、クランプ回路１１０に対してＹ／色差信号に対応するクランプ制御情報を供給して、クランプ回路１１０をＹ／色差信号の動作条件で動作させる。
【００６７】
そして、ステップ６０において、後述するように、映像信号を構成する信号がＲＧＢ信号である確率（以下、「ＲＧＢ確率」と呼ぶ。）と映像信号を構成する信号がＹ／色差信号である確率（以下、「色差確率」と呼ぶ。）とを取得し、取得したＲＧＢ確率と色差確率とを比較することにより、映像信号を構成する信号がＲＧＢ信号であるかＹ／色差信号であるかを判別する。
【００６８】
さらに、ステップＳ７０において、ステップＳ６０で得られたＲＧＢ／色差信号判別結果を利用して映像信号の種類を判別する。例えば、ステップＳ１０およびＳ２０における同期信号を利用した映像信号の判別において、図３に示したＶＧＡモードの映像信号であるか５２５ｐモードの映像信号であるかを判別できない場合に、ステップＳ６０で映像信号を構成する信号がＲＧＢ信号であると判別された場合にはＶＧＡモードの映像信号であると判別することができ、Ｙ／色差信号であると判別された場合には５２５ｐモードの映像信号であると判別することができる。
【００６９】
そして、上記ＲＧＢ／色差信号判別結果を利用した映像信号の判別が終了すると、これに応じて映像信号の判別処理は終了される。
【００７０】
以上のようにして、同期信号情報を利用して映像信号の判別あるいはＲＧＢ／色差信号判別結果を利用した映像信号の判別が終了すると、判別された映像信号の種類に対応する制御情報が、処理制御部４２０によってそれぞれ対応するブロックに設定され、これに応じた動作が開始される。
【００７１】
ここで、上記映像信号の判別処理は、ＲＧＢ確率と色差確率とを比較することにより、映像信号を構成する信号がＲＧＢ信号であるかＹ／色差信号であるかを判別するＲＧＢ／色差信号判別に特徴を有しているものである。そこで、以下では、このＲＧＢ／色差信号判別の方法について詳細に説明する。
【００７２】
Ａ．３．ＲＧＢ／色差信号判別：
以下では、第１実施例のＲＧＢ／色差信号判別について、ＲＧＢ確率の取得、色差確率の取得、ＲＧＢ確率と色差確率との比較による判別の順に説明する。
【００７３】
Ａ．３．１．ＲＧＢ確率の取得：
図４は、クランプ回路１１０（図１参照）をＲＧＢ信号の動作条件で動作させた場合に、クランプ回路１１０から出力される映像信号について示す説明図である。図の左側はＲＧＢ信号の場合を示し、右側はＹ／色差信号の場合を示している。
【００７４】
ＲＧＢ信号の場合には、Ｒ，Ｇ，Ｂ各信号の最低レベルが、ＡＤＣ回路１２０（図１参照）の入力ダイナミックレンジのうち最低レベルＬＬに等しくなるようにクランプされる。このため、Ｒ，Ｇ，Ｂ各信号の変化範囲は、ＡＤＣ回路１２０の入力ダイナミックレンジのうち最低レベルＬＬから最高レベルＬＨまでとなる。このとき、ＡＤＣ１２０から出力されるディジタルのＲ信号およびＢ信号に含まれるデータは、上述したようにＡＤＣ回路１２０が８ビットのＡＤ変換回路であるとすると、最小値ＤＬ＝０から最大値ＤＨ＝２５５までの値をとることになる。
【００７５】
一方、Ｙ／色差信号（Ｙ／Ｃｂ／Ｃｒ信号）の場合には、Ｒ信号と仮定されたＣｒ信号およびＢ信号と仮定されたＣｂ信号の中心レベルが、ＡＤＣ回路１２０の入力ダイナミックレンジのうち最低レベルＬＬにクランプされる。このため、Ｒ信号と仮定されたＣｒ信号およびＢ信号と仮定されたＣｂ信号の変化範囲は、ＡＤＣ回路１２０の入力ダイナミックレンジのうち中心レベルＬＣ以下となる。このとき、ＡＤＣ回路１２０から出力されるディジタル信号に含まれるデータは、Ｒ信号と仮定されたＣｒ信号およびＢ信号と仮定されたＣｂ信号のいずれについても、最小値ＤＬ＝０から中心値ＤＣ＝１２８までの値をとることになる。なお、Ｇ信号と仮定されたＹ信号は、ＲＧＢ信号の場合と同様であり、ＡＤＣ１２０から出力されるディジタル信号に含まれるデータとして、最小値ＤＬ＝０から最大値ＤＨ＝２５５までの値をとることになる。
【００７６】
従って、映像信号を構成する信号はＲＧＢ信号であると仮定した場合に、Ｒ信号またはＢ信号の最大値（以下、「ＲＢ最大値」と呼ぶ。）が中心値ＤＣ＝１２８よりも大きければ、映像信号を構成する信号はＲＧＢ信号であると考えられる。
【００７７】
しかしながら、実際の入力信号にはノイズが重畳される。また、クランプ回路１１０のクランプレベルやＡＤＣ回路１２０の入力ダイナミックレンジには設定誤差等の種々のばらつきが発生する。従って、映像信号がＹ／色差信号であったとしても、Ｒ信号と仮定されたＣｒ信号またはＢ信号と仮定されたＣｂ信号の最大値として取得した値が、中心値ＤＣ＝１２８よりも大きい値をとる可能性がある。このため、取得したＲＢ最大値が中心値ＤＣ＝１２８よりも大きな値であったとしても、ＲＧＢ信号ではなくＹ／色差信号である可能性もある。
【００７８】
ただし、ＲＢ最大値が中心値ＤＣ＝１２８よりも大きければ大きいほど、映像信号はＲＧＢ信号である可能性が高いといえる。
【００７９】
そこで、本実施例では、以下のようにして、ＲＧＢ確率を取得することとした。すなわち、ＲＢ最大値が中心値ＤＣよりも大きくなるほどＲＧＢ確率が高くなるように設定されたＲＢ最大値に対するＲＧＢ確率を示す情報（以下、「ＲＢ最大値対ＲＧＢ確率情報」とも呼ぶ。）を予め用意しておく。そして、図２のステップＳ４０において映像信号の情報として、入力映像信号中のＲＢ最大値を取得し、取得したＲＢ最大値に対応するＲＧＢ確率を、ＲＢ最大値対ＲＧＢ確率情報を参照して取得することとした。
【００８０】
図５は、ＲＢ最大値対ＲＧＢ確率情報について示す説明図である。図５に示したＲＢ最大値対ＲＧＢ確率情報は一例であって、これに限定されるものではない。ＲＢ最大値対ＲＧＢ確率情報は、入力される可能性のある映像信号の種類に応じて、実験的に求めて設定すればよい。
【００８１】
なお、ＲＢ最大値対ＲＧＢ確率情報は、通常、コントローラ４００の図示しない記憶領域に格納されており、ＲＧＢ確率を求める際に参照される。
【００８２】
Ａ．３．２．色差確率の取得：
図６は、クランプ回路１１０をＹ／色差信号の動作条件で動作させた場合に、クランプ回路１１０から出力される映像信号について示す説明図である。図の左側はＲＧＢ信号の場合を示し、右側はＹ／色差信号の場合を示している。
【００８３】
Ｙ／色差信号（Ｙ／Ｃｂ／Ｃｒ信号）の場合には、Ｃｒ信号およびＣｂ信号の中心レベルが、ＡＤＣ回路１２０（図１参照）の入力ダイナミックレンジの中心レベルＬＣにクランプされるので、Ｃｒ信号およびＣｂ信号の変化範囲は、ＡＤＣ回路１２０の入力ダイナミックレンジの中心レベルＬＣを中心として最低レベルＬＬから最高レベルＬＨまでとなる。このため、ＡＤＣ１２０から出力されるディジタルのＣｒ信号およびＣｂ信号に含まれるデータは、最小値ＤＬ＝０から最大値ＤＨ＝２５５までの値をとることになる。
【００８４】
一方、ＲＧＢ信号の場合には、Ｃｒ信号と仮定されたＲ信号およびＣｂ信号と仮定されたＢ信号の最低レベルが、ＡＤＣ回路１２０の入力ダイナミックレンジの中心レベルＬＣにクランプされる。このため、Ｃｒ信号と仮定されたＲ信号およびＣｂ信号と仮定されたＢ信号の変化範囲は、ＡＤＣ回路１２０の入力ダイナミックレンジの中心レベルＬＣ以上となる。このとき、ＡＤＣ回路１２０から出力されるディジタル信号に含まれるデータは、Ｃｒ信号と仮定されたＲ信号およびＣｂ信号と仮定されたＢ信号のいずれについても、中心値ＤＣ＝１２８から最大値ＤＨ＝２５５までの値をとることになる。
【００８５】
従って、映像信号を構成する信号はＹ／色差信号であると仮定した場合に、Ｃｒ信号またはＣｂ信号の最小値（以下、「色差最小値」と呼ぶ。）が中心値ＤＣ＝１２８よりも小さければ、映像信号はＹ／色差信号であると考えられる。
【００８６】
しかしながら、ＲＧＢ確率の説明においても述べたように、実際の入力信号にはノイズが重畳される。また、クランプ回路１１０のクランプレベルやＡＤＣ回路１２０の入力ダイナミックレンジには設定誤差等の種々のばらつきが発生する。従って、映像信号がＲＧＢ信号であったとしても、Ｃｒ信号と仮定されたＲ信号またはＣｂ信号と仮定されたＢ信号の最小値として取得した値が、中心値ＤＣ＝１２８よりも小さい値をとる可能性がある。このため、取得した色差最小値が中心値ＤＣ＝１２８よりも小さい値であったとしても、ノイズ等の影響によってＹ／色差信号ではなくＲＧＢ信号である可能性もある。
【００８７】
ただし、色差最小値が中心値ＤＣ＝１２８よりも小さければ小さいほど、映像信号はＹ／色差信号である可能性は高いといえる。
【００８８】
そこで、本実施例では、以下のようにして、色差確率を取得することとした。すなわち、色差最小値が中心値ＤＣよりも小さくなるほど色差確率が高くなるように設定された色差最小値に対する色差確率を示す情報（以下、「色差最小値対色差確率情報」とも呼ぶ。）を予め用意しておく。そして、図２のステップＳ５０において取得した映像信号の情報として、入力映像信号中の色差最小値を取得し、取得した色差最小値に対応する色差確率を、色差最小値対色差確率情報を参照して取得することとした。
【００８９】
図７は、色差最小値対色差確率情報について示す説明図である。図７に示した図７に示した色差最小値対色差確率情報は一例であって、これに限定されるものではない。色差最小値対色差確率情報は、入力される可能性のある映像信号の種類に応じて、実験的に求めて設定すればよい。
【００９０】
なお、色差最小値対色差確率情報は、通常、コントローラ４００の図示しない記憶領域に格納されており、色差確率を求める際に参照される。
【００９１】
Ａ．３．３．ＲＧＢ確率と色差確率との比較によるＲＧＢ／色差信号判別：
ＲＧＢ／色差信号判別は、上記のようにして求められたＲＧＢ確率と色差確率とを比較することにより実行される。すなわち、ＲＧＢ確率の方が高ければ映像信号を構成する信号の種類はＲＧＢ信号であり、色差確率の方が高ければ映像信号を構成する信号の種類はＹ／色差信号であると判別する。
【００９２】
図８は、映像信号がＲＧＢ信号である場合において、ＲＧＢ確率と色差確率との比較による判別結果の例を示す説明図である。図は、Ｒ，Ｇ，Ｂの各信号の変化範囲が、８ビットの数値で０〜６４の場合と、０〜１２８の場合と、０〜１５３の場合と、０〜１９１の場合と、０〜２５５の場合の５種類を例示している。
【００９３】
各場合のＲＢ最大値は、ＲＧＢ信号の最大値の変化に応じて順に６４、１２８、１５３、１９１、２５５となる。従って、各場合のＲＧＢ確率は、ＲＢ最大値対ＲＧＢ確率情報（図５参照）を参照すると、順に０％、０％、３０％、７０％、１００％となる。
【００９４】
また、各場合の色差最小値は、Ｃｒ信号と仮定されたＲ信号またはＣｂ信号と仮定されたＢ信号が、ノイズ等の誤差を考えなければ、信号変化の範囲に関わらず、いずれの場合も中心値ＤＣ＝１２８のままで一定となる。従って、色差確率は、色差最小値対色差確率情報（図７参照）を参照すると、いずれの場合も−１０％となる。
【００９５】
そして、各場合においてＲＧＢ確率と色差確率とを比較すると、いずれの場合においても、ＲＧＢ確率が色差確率よりも高くなる。従って、各場合における映像信号を構成する信号はＲＧＢ信号であると正しく判別することができる。
【００９６】
図９は、映像信号がＹ／色差信号である場合において、ＲＧＢ確率と色差確率との比較による判別結果の例を示す説明図である。図は、Ｙ信号の変化範囲が８ビットの数値で０〜２５５であって、Ｃｒ信号およびＣｂ信号の変化範囲が、６４〜１９２の場合と、３２〜２２４の場合と、０〜２５５の場合の３種類を例示している。
【００９７】
各場合の色差最小値は、Ｃｒ信号またはＣｂ信号の最小値に応じて順に６４、３２、０となる。従って、各場合の色差確率は、色差最小値対色差確率情報（図７参照）を参照すると、順に４０％、９０％、１００％となる。
【００９８】
また、各場合のＲＢ最大値は、Ｒ信号と仮定されたＣｒ信号またはＢ信号と仮定されたＣｂ信号の最大値に応じて順に６４、９６、１２８と変化するが、いずれも上述した中心値ＤＣ＝１２８以下の値である。従って、各場合のＲＧＢ確率は、ＲＢ最大値対ＲＧＢ確率情報（図５参照）を参照すると、いずれの場合も０％となる。
【００９９】
そして、各場合においてＲＧＢ確率と色差確率とを比較すると、いずれの場合においても、色差確率がＲＧＢ確率よりも高くなる。従って、各場合における映像信号を構成する信号はＹ／色差信号であると判別することができる。
【０１００】
なお、ＲＧＢ確率と色差確率とが等しい場合には、あらかじめ決められた方の確率が高いと判定すればよい。
【０１０１】
以上のように、本実施例のＲＧＢ／色差信号判別においては、ＲＧＢ確率と色差確率とを比較することにより、映像信号を構成する信号がＲＧＢ信号であるかＹ／色差信号であるかを判別することができる。また、本実施例のＲＧＢ／色差信号判別では、ＲＧＢ信号である可能性を示すＲＧＢ確率と、Ｙ／色差信号である可能性を示す色差確率とを比較することにより判別している。これにより、従来技術で説明したＲＧＢ／色差信号判別のように、クランプレベルよりも少し低い設定値と映像信号とを比較して、設定値よりも低いレベルの信号が存在するか否かによってＲＧＢ信号であるかＹ／色差信号であるかを判別する場合に比べて、誤判別の可能性を低減して判別の確度を向上させることが可能である。
【０１０２】
Ｂ．第２実施例のＲＧＢ／色差判別：
なお、第２実施例の映像表示装置の全体構成および映像信号判別処理については、第１実施例と全く同様であるので、ここでは説明を省略し、以下では、第２実施例のＲＧＢ／色差判別の方法についてのみ説明する。
【０１０３】
第２実施例のＲＧＢ／色差信号判別も、ＲＧＢ確率および色差確率の比較により、映像信号を構成する信号がＲＧＢ信号であるかＹ／色差信号であるか判別する点において、第１実施例と同様である。しかしながら、第２実施例は、以下で説明するように、第１実施例で求めた色差確率（以下、「色差確率Ａ」と呼ぶ。）とは異なる色差確率（以下、「色差確率Ｂ」と呼ぶ。）を取得し、２つの色差確率Ａ，Ｂを加算した色差確率（Ａ＋Ｂ）を、ＲＧＢ確率と比較する色差確率として利用する点が、第１実施例と異なっている。
【０１０４】
そこで、以下では、ＲＧＢ確率についてはその説明を省略し、色差確率Ｂの取得およびＲＧＢ確率と色差確率（Ａ＋Ｂ）との比較による判別について説明する。
【０１０５】
Ｂ．１．色差確率Ｂの取得：
第１実施例における色差確率Ａは、上述したように、映像信号がＹ／色差信号であると仮定した場合に、色差最小値が中心値ＤＣよりも小さくなるほど色差確率が高くなるように設定された色差最小値対色差確率情報を参照することにより取得している。
【０１０６】
しかしながら、色差信号であるＣｒ信号またはＣｂ信号の最小値が中心値ＤＣ付近の値である場合、あるいは、中心値ＤＣ以上となる場合には、以下に示すように、ＲＧＢ信号であるかＹ／色差信号であるかの判別が困難となり、判別の確度が低下することとなる。
【０１０７】
図１０は、映像信号を構成する信号がＹ／色差信号である場合に、第１実施例のＲＧＢ／色差信号判別によってＲＧＢ信号であると誤判別される場合の例を示す説明図である。図は、映像信号がＹ／色差信号の白黒画像で、７０％，６０％，５０％，４０％，３０％，２０％の６種類の輝度変化を有している場合を例示している。
【０１０８】
Ｙ／色差信号による白黒画像の場合、Ｙ信号は輝度に応じて変化するが、Ｃｒ信号およびＣｂ信号は８ビットの数値で中心値ＤＣ＝１２８のままで一定となる。従って、いずれの場合の色差最小値も、ノイズ等の誤差を考えなければ一定値１２８となり、色差確率Ａは、色差最小値対色差確率情報（図７参照）を参照すると、いずれの場合も−１０％となる。
【０１０９】
また、いずれの場合のＲＢ最大値も、ノイズ等の誤差を考えなければ一定値最小値ＤＬ＝０となる。このため、ＲＧＢ確率は、ＲＢ最大値対ＲＧＢ確率情報（図５参照）を参照すると、いずれの場合も０％となる。
【０１１０】
そして、ＲＧＢ確率と色差確率Ａとを比較すると、いずれの場合も、ＲＧＢ確率が０％で、色差確率がー１０％であるので、ＲＧＢ確率の方が高いと判断される。すなわち、入力映像信号を構成する信号がＹ／色差信号であるにも関わらず、ＲＧＢ信号であると誤判別されてしまうことになる。
【０１１１】
また、図８に示したように、映像信号がＲＧＢ信号の場合であっても、ＲＢ最大値が中心値ＤＣ＝１２８よりも小さくなる場合には、以下のような問題がある。すなわち、色差確率は、色差最小値がノイズ等の誤差を考えなければＲＧＢ信号の変化の範囲に関わらず、中心値ＤＣ＝１２８に等しくなるので、色差最小値対色差確率情報（図７参照）を参照すると、いずれの場合も−１０％となる。しかしながら、ノイズ等の誤差を考えた場合、実際に取得される色差最小値は中心値ＤＣ＝１２８以下となる可能性があり、求められる色差確率が−１０％ではなく０％以上となる可能性もある。一方、ＲＧＢ確率は、ＲＢ最大値が１２８よりも小さくなる場合、ＲＢ最大値対ＲＧＢ確率情報（図５参照）を参照すると、０％となる。従って、映像信号がＲＧＢ信号の場合であっても、ＲＢ最大値が１２８よりも小さくなるような場合に、入力映像信号を構成する信号がＲＧＢ信号であるにも関わらず、Ｙ／色差信号であると誤判別されてしまう可能性もある。
【０１１２】
ここで、図４に示したように、ＲＧＢ信号と仮定した場合にクランプ回路１１０（図1参照）から出力される映像信号において、Ｙ／色差信号の場合には、Ｙ信号の変化範囲は最低レベルＬＬから最高レベルＬＨまでであるのに対して、Ｃｒ信号およびＣｂ信号は中心レベルＬＣ以下でしか変化しない。
【０１１３】
従って、Ｙ／色差信号がＲＧＢ信号と仮定された場合、Ｇ信号の最大値（以下、「Ｇ最大値」と呼ぶ。）がＲＢ最大値に比べて大きくなる可能性が高く、このとき表示される画像は緑色が強調されたものとなる。
【０１１４】
このことから、ＲＧＢ信号と仮定した場合において、取得したＲＢ最大値に比べてＧ最大値が大きいほど、映像信号を構成する信号がＹ／色差信号である可能性が高くなることがわかる。
【０１１５】
そこで、本実施例では、以下のようにして、色差確率Ｂを取得することとした。すなわち、後述するＧ割合が大きくなるほど色差確率が高くなるように設定されたＧ割合に対する色差確率Ｂを示す情報（以下、「Ｇ割合対色差確率情報」とも呼ぶ。）を予め用意しておく。Ｇ割合は、ＲＢ最大値に対するＧ最大値の大きさの度合いを示しており、下式により求めることができる。
Ｇ割合（％）＝（（Ｇ最大値−ＲＢ最大値）／ＲＧＢＭＡＸ）×１００  ...（１）
ここで、ＲＧＢＭＡＸは、Ｒ，Ｇ，Ｂ各信号のとりうる値の最大値を示している。本例では、ＲＧＢＭＡＸ＝２５５が代入される。
【０１１６】
そして、図２のステップＳ４０において取得した映像信号の情報として、入力映像信号中のＲＢ最大値とＧ最大値を取得するとともに、（１）式に基づいてＧ割合を求める。求めたＧ割合に対応する色差確率Ｂを、Ｇ割合対色差確率情報を参照して取得することとした。
【０１１７】
図１１は、Ｇ割合対色差確率情報について示す説明図である。図１１に示した色差確率Ｂは、図１０に示した白黒画像を表すＹ／色差信号が正しく判別されるように、Ｙ信号の大きさ、すなわち、輝度変化に応じて変化するように設定されている。
【０１１８】
ただし、上記（１）式により求められるＧ割合は、Ｇ最大値よりもＲＢ最大値のほうが大きい場合に０％よりも小さくなる場合がある。図１１のＧ割合対色差確率情報の例は、０％〜１００％のＧ割合に対応する色差確率Ｂの値のみを示しており、０％よりも低いＧ割合に対応する色差確率Ｂの値を示していない。そこで、このような場合において、Ｇ割合が０％よりも低くなるような場合には、０％と置き換えるようにすればよい。
【０１１９】
また、図１１の例では、色差確率Ｂは、Ｇ割合が４０％以上の場合において、その大きさが大きくなるほど順に０％よりも高くなるように設定し、Ｇ割合が４０％よりも小さくなる場合において、その大きさが小さくなるほど順に０％よりも低くなるように設定している。
【０１２０】
上記のように、Ｇ割合の４０％を境界として、色差確率Ｂを設定しているのは、以下の理由による。すなわち、ＲＧＢ信号による映像信号の場合においても、Ｇ信号のみが変化する緑色の映像信号が入力される場合がある。特に、３０％〜４０％の明るさを有する映像信号が入力される可能性が高い。しかしながら、緑色画像を表すＲＧＢ信号形式の映像信号と、白黒画像を表すＹ／色差信号形式の映像信号とは、信号に基づいて区別することは困難である。そこで、本例では、Ｇ割合が４０％よりも低い場合にはＲＧＢ信号であると判別し、Ｇ割合が４０％以上の場合にはＹ／色差信号であると判別するように、Ｇ割合と色差確率Ｂとの関係を設定した。具体的には、Ｇ割合が４０％以上の場合において、大きさに応じて色差確率Ｂが高くなるように設定し、Ｇ割合が４０％よりも低くなる場合には、低さに応じて色差確率が０％よりも低くなるように設定している。
【０１２１】
Ｂ．２．ＲＧＢ確率と色差確率（Ａ＋Ｂ）との比較によるＲＧＢ／色差信号判別：
図１２は、映像信号が白黒画像を表すＹ／色差信号である場合において、ＲＧＢ確率と色差確率（Ａ＋Ｂ）との比較による判別結果の例を示す説明図である。図１２は、図１０と同様に、映像信号がＹ／色差信号の白黒画像で、７０％，６０％，５０％，４０％，３０％，２０％の６種類の輝度変化を有している場合を例示している。
【０１２２】
ＲＧＢ確率は、図１０と同様であり、いずれの場合も０％である。
【０１２３】
また、色差確率Ａも、図１０の色差確率と同様であり、いずれの場合も−１０％となる。
【０１２４】
各場合のＧ割合は、７０％、６０％、５０％、４０％、３０％、２０％の輝度の違いに応じて、順に７０％、６０％、５０％、４０％、３０％、２０％と変化する。従って、各場合の色差確率Ｂは、Ｇ割合対色差確率情報（図９参照）を参照すると、順に１００％、１００％、５０％、２０％、０％、−１０％となる。
【０１２５】
色差確率（Ａ＋Ｂ）は、各場合の色差確率Ａと色差確率Ｂとを加算することにより、９０％、９０％、４０％、１０％、−１０％、−２０％となる。
【０１２６】
そして、各場合においてＲＧＢ確率と色差確率（Ａ＋Ｂ）とを比較すると、図１０においてＲＧＢ信号と誤判別されていた白黒画像のＹ／色差信号を、輝度４０％以上においてＹ／色差信号であると正しく判別することができる。
【０１２７】
図１３は、映像信号がＲＧＢ信号である場合において、ＲＧＢ確率と色差確率（Ａ＋Ｂ）との比較による判別結果の例を示す説明図である。図１３は、図８と同様に、Ｒ，Ｇ，Ｂの各信号の変化範囲が、８ビットの数値で０〜６４の場合と、０〜１２８の場合と、０〜１５３の場合と、０〜１９１の場合と、０〜２５５の場合の５種類を例示している。
【０１２８】
ＲＧＢ確率は、図８と同様であり、順に０％、０％、３０％、７０％、１００％となる。
【０１２９】
また、色差確率Ａも、図８の色差確率と同様であり、いずれの場合も−１０％となる。
【０１３０】
各場合のＧ割合は、いずれの場合においても、それぞれＲ，Ｇ，Ｂ各信号の最大値が等しいので、０％となる。従って、各場合の色差確率Ｂは、Ｇ割合対色差確率情報（図９参照）を参照すると、いずれも−３０％となる。
【０１３１】
色差確率（Ａ＋Ｂ）は、各場合の色差確率Ａと色差確率Ｂとを加算することにより、いずれの場合も−４０％となる。
【０１３２】
そして、各場合においてＲＧＢ確率と色差確率（Ａ＋Ｂ）とを比較すると、いずれの場合においても、色差確率（Ａ＋Ｂ）を色差確率Ａよりも低くすることができるので、色差確率ＡとＲＧＢ確率とを比較する場合よりも、ＲＧＢ信号と判別する確度をより高めることができる。
【０１３３】
以上のように、本実施例のＲＧＢ／色差信号判別においても、ＲＧＢ確率と色差確率（Ａ＋Ｂ）とを比較することにより、映像信号を構成する信号がＲＧＢ信号であるかＹ／色差信号であるかを判別することができる。また、本実施例のＲＧＢ／色差信号判別では、ＲＧＢ信号である可能性を示すＲＧＢ確率と、Ｙ／色差信号である可能性を示す色差確率（Ａ＋Ｂ）とを比較することにより判別している。これにより、従来技術で説明したＲＧＢ／色差信号判別のように、クランプレベルよりも少し低い設定値と映像信号とを比較して、設定値よりも低いレベルの信号が存在するか否かによってＲＧＢ信号であるかＹ／色差信号であるかを判別する場合に比べて、誤判別の可能性を低減して判別の確度を向上させることが可能である。さらに、第１実施例における色差確率に相当する色差確率Ａと、Ｇ割合から求められる色差確率Ｂとを加算した色差確率（Ａ＋Ｂ）を用いることにより、Ｙ／色差信号である確率を示す色差確率の確度をより向上させることが可能となるので、さらに、誤判別の可能性を低減して判別の確度を向上させることが可能である。
【０１３４】
Ｃ．変形例：
なお、この発明は上記の実施例や実施形態に限られるものではなく、その要旨を逸脱しない範囲において種々の態様において実施することが可能であり、例えば次のような変形も可能である。
【０１３５】
（１）上記実施例における映像信号の判別処理は、プロジェクタの起動時に実行される場合を例に説明しているが、これに限定されるものではなく、プロジェクタの動作中において、種々のタイミングで映像信号の判別処理を実行するようにしてもよい。例えば、映像信号の変化を、同期信号の周波数の変化を検出することにより検出し、これをトリガとして、映像信号の判別処理を開始するようにしてもよい。
【０１３６】
（２）上記第２実施例では、入力映像信号を構成する信号がＲＧＢ信号であると仮定した場合に、取得されるＲＢ最大値に対するＧ最大値の大きさの度合い（緑の度合い）に対応する色差確率を色差確率Ｂとして求める場合を例に説明しているが、これに限定されるものではない。例えば、入力映像信号を構成する信号がＹ／色差信号であると仮定した場合に、取得される色差最小値に対するＹ最小値の小ささの度合い(紫の度合い)に対応する色差確率を色差確率Ｂとして求めることも可能である。
【０１３７】
（３）上記実施例では、ハードウェアによって実現されていた構成の一部をソフトウェアに置き換えるようにしてもよく、逆にソフトウェアによって実現されていた構成の一部をハードウェアに置き換えるようにしてもよい。例えば、図１に示した映像信号判別部による処理をハードウェア回路で行うこととしてもよい。
【０１３８】
（４）上記実施例では、光変調装置としてライトバルブと呼ばれる液晶パネルを用いたものを例に説明しているが、これに限定するものではなく、例えば、ディジタルマイクロミラーデバイス（ＤＭＤ）を用いたプロジェクタにも適用可能である。
【０１３９】
（５）上記実施例では、プロジェクタを例に説明しているが、液晶ディスプレイ（ＬＣＤ）、プラズマディスプレイ（ＰＤＰ）等種々の直視型の映像表示装置にも適用可能である。さらに、映像表示装置に限定されるものではなく、スキャンコンバータ等の映像信号を処理する種々の画像処理装置に適用可能である。
【図面の簡単な説明】
【０１４０】
【図１】本発明を適用した映像表示装置の一実施例としてのプロジェクタの要部を示すブロック図である。
【図２】映像信号の判別処理について示すフローチャートである。
【図３】映像信号の種類を示す映像信号一覧情報の一例を示す説明図である。
【図４】クランプ回路１１０をＲＧＢ信号の動作条件で動作させた場合にクランプ回路１１０から出力される映像信号について示す説明図である。
【図５】ＲＢ最大値対ＲＧＢ確率情報について示す説明図である。
【図６】クランプ回路１１０をＹ／色差信号の動作条件で動作させた場合にクランプ回路１１０から出力される映像信号について示す説明図である。
【図７】色差最小値対色差確率情報について示す説明図である。
【図８】映像信号がＲＧＢ信号である場合においてＲＧＢ確率と色差確率との比較による判別結果の例を示す説明図である。
【図９】映像信号がＹ／色差信号である場合においてＲＧＢ確率と色差確率との比較による判別結果の例を示す説明図である。
【図１０】映像信号を構成する信号がＹ／色差信号である場合に第１実施例のＲＧＢ／色差信号判別によってＲＧＢ信号であると誤判別される場合の例を示す説明図である。
【図１１】Ｇ割合対色差確率情報について示す説明図である。
【図１２】映像信号が白黒画像を表すＹ／色差信号である場合においてＲＧＢ確率と色差確率（Ａ＋Ｂ）との比較による判別結果の例を示す説明図である。
【図１３】映像信号がＲＧＢ信号である場合においてＲＧＢ確率と色差確率（Ａ＋Ｂ）との比較による判別結果の例を示す説明図である。
【符号の説明】
【０１４１】
１０００...プロジェクタ
１００...インタフェース部
１１０...クランプ回路
１２０...ＡＤ変換回路（ＡＤＣ回路）
２００...映像信号処理部
２１０...ＲＧＢ変換部
２２０...画質補正部
２３０...画像サイズ変換部
２４０...周波数変換部
２５０...映像信号情報取得部
３００...表示部
３１０...液晶パネルドライバ（ＬＣＤドライバ）
３２０...液晶パネル（ＬＣＤ）
３３０...照明装置
３４０...投写光学系
４００...コントローラ
４１０...映像信号判別部
４２０...処理制御部
【図１】
0003711994.tif 000002
【図２】
0003711994.tif 000003
【図３】
0003711994.tif 000004
【図４】
0003711994.tif 000005
【図５】
0003711994.tif 000006
【図６】
0003711994.tif 000007
【図７】
0003711994.tif 000008
【図８】
0003711994.tif 000009
【図９】
0003711994.tif 000010
【図１０】
0003711994.tif 000011
【図１１】
0003711994.tif 000012
【図１２】
0003711994.tif 000013
【図１３】
0003711994.tif 000014